(57)【要約】【課題】  下ダイヤフラム部材が破損してもアルコールが温度制御機素から漏出することのない熱応動式スチームトラップを提供する。【解決手段】  温度制御機素８は、上壁部材１０と、上壁部材１０との間に第１膨脹媒体１４を密封する上ダイヤフラム部材１３と、上ダイヤフラム部材１３との間に第２膨張媒体１２を密封する下ダイヤフラム部材１５と、上下ダイヤフラム部材１３，１５の外周縁を上壁部材１０との間に挟んで固着する下壁部材１６と、下ダイヤフラム部材１５の導出路６側に固着され弁座部材７に離着座して導出路６を開閉する弁部材１７から形成する。第１膨脹媒体１４は水よりも沸点の低いプロパノール等のアルコールあるいは水よりも沸点の低いアルコールの混合物あるいは水よりも沸点の低いアルコールと水との混合物から成り、第２膨張媒体は水から成る。【選択図】      図１
2005061521.tif 000002
【特許請求の範囲】
【請求項１】
弁ケーシングで入口と弁室と出口を形成し、導出路を有する弁座部材を弁室と出口との間に配置し、上下二つの壁部材と、両壁部材の間に外周縁を固着した上下二つのダイヤフラム部材と、上壁部材と上ダイヤフラム部材との間に密封した第１膨脹媒体と、上ダイヤフラム部材と下ダイヤフラム部材との間に密封した第２膨脹媒体と、下ダイヤフラム部材の導出路側に配置した弁部材とから成る温度制御機素を弁室内に配置したものにおいて、第１膨張媒体が水よりも沸点の低いアルコールあるいは水よりも沸点の低いアルコールの混合物あるいは水よりも沸点の低いアルコールと水との混合物から成り、第２膨張媒体が水から成ることを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、加熱されて膨脹し冷却されて収縮する媒体を含む温度制御機素を用いて、所望温度以下の流体を系外へ排出する熱応動式スチームトラップに関するものである。
【背景技術】
【０００２】
従来の温度制御機素を用いた熱応動式スチームトラップは、弁ケーシングで入口と弁室と出口を形成し、導出路を有する弁座部材を弁室と出口との間に配置し、上下二つの壁部材と、両壁部材の間に外周縁を固着した上下二つのダイヤフラム部材と、上壁部材と上ダイヤフラム部材との間に密封した第１膨脹媒体と、上ダイヤフラム部材と下ダイヤフラム部材との間に密封した第２膨脹媒体と、下ダイヤフラム部材の導出路側に配置した弁部材とから成る温度制御機素を弁室内に配置したものにおいて、第１膨張媒体が水あるいは水よりも沸点の低いアルコールあるいはそれらの混合物から成り、第２膨張媒体が水よりも沸点の低いアルコールあるいはそれらの混合物あるいは水と水よりも沸点の低いアルコールとの混合物によって第１膨張媒体よりも沸点が低く形成されたものである。
【０００３】
閉弁に際しては第２膨張媒体、第１膨張媒体の順に膨脹してダイヤフラム部材を弁座部材側に段階的に徐々に変位せしめて弁部材が導出路を閉弁し、開弁に際しては、第１膨張媒体、第２膨張媒体の順に収縮してダイヤフラム部材を弁座部材から離れる方向に段階的に徐々に変位せしめて弁部材が導出路を開弁することにより、開閉動作が段階的になり急激に行なわれることがない。しかしながら、上記従来技術のものでは、下ダイヤフラム部材が破損すると第２膨張媒体を形成するアルコールが温度制御機素から漏出してしまうために食品や医療等の分野で用いられる場合には重大な事故に繋がる問題点があった。
【特許文献１】特許第２８８４３１６号
【発明の開示】
【発明が解決しようとする課題】
【０００４】
解決しようとする課題は、下ダイヤフラム部材が破損してもアルコールが温度制御機素から漏出することのない熱応動式スチームトラップを提供することである。
【課題を解決するための手段】
【０００５】
本発明は、弁ケーシングで入口と弁室と出口を形成し、導出路を有する弁座部材を弁室と出口との間に配置し、上下二つの壁部材と、両壁部材の間に外周縁を固着した上下二つのダイヤフラム部材と、上壁部材と上ダイヤフラム部材との間に密封した第１膨脹媒体と、上ダイヤフラム部材と下ダイヤフラム部材との間に密封した第２膨脹媒体と、下ダイヤフラム部材の導出路側に配置した弁部材とから成る温度制御機素を弁室内に配置した熱応動式スチームトラップにおいて、第１膨張媒体が水よりも沸点の低いアルコールあるいは水よりも沸点の低いアルコールの混合物あるいは水よりも沸点の低いアルコールと水との混合物から成り、第２膨張媒体が水から成ることを特徴とする。
【発明の効果】
【０００６】
本発明は、ダイヤフラム部材が破損してもアルコールが温度制御機素から漏出することがないという優れた効果を生じる。
【発明を実施するための最良の形態】
【０００７】
本発明の熱応動式スチームトラップは、第１膨張媒体が水よりも沸点の低いアルコールあるいは水よりも沸点の低いアルコールの混合物あるいは水よりも沸点の低いアルコールと水との混合物から成り、第２膨張媒体が水から成るものである。そのため、閉弁に際しては第１膨張媒体、第２膨張媒体の順に膨脹してダイヤフラム部材を弁座部材側に段階的に徐々に変位せしめて弁部材が導出路を閉弁する。また開弁に際しては、第２膨張媒体、第１膨張媒体の順に収縮してダイヤフラム部材を弁座部材から離れる方向に段階的に徐々に変位せしめて弁部材が導出路を開弁する。そして、下ダイヤフラム部材が破損すると水から成る第２膨張媒体が温度制御機素から漏出し、アルコールは温度制御機素から漏出することがない。
【実施例１】
【０００８】
上記の技術的手段の具体例を示す実施例を説明する（図１参照）。本体１には同一軸上に入口２と出口３が形成され、この入口２及び出口３と連通する弁室４が本体１にねじ結合された蓋部材５によって形成される。出口３の弁室４側開口端に、弁室４と出口３とを連通する導出路６が形成された弁座部材７がねじ結合されている。弁座部材７の上方に、温度制御機素８が配置される。温度制御機素８は、注入口９を有する上壁部材１０と、注入口９を密封する栓部材１１と、上壁部材１０との間に第１膨脹媒体１４を密封する上ダイヤフラム部材１３と、上ダイヤフラム部材１３との間に第２膨張媒体１２を密封する下ダイヤフラム部材１５と、上下ダイヤフラム部材１３，１５の外周縁を上壁部材１０との間に挟んで固着する下壁部材１６と、下ダイヤフラム部材１５の導出路６側に固着され弁座部材７に離着座して導出路６を開閉する弁部材１７から形成される。第１膨脹媒体１４は水よりも沸点の低いプロパノール等のアルコールあるいは水よりも沸点の低いアルコールの混合物あるいは水よりも沸点の低いアルコールと水との混合物から成り、第２膨張媒体１２は水から成る。
【０００９】
温度制御機素８は、本体１と弁座部材７との間に挟んで固定された有底円筒形状の取付部材１８内に収容され、一端を蓋部材５に固定し他端を温度制御機素８に固定したコイルスプリング１９の付勢力によって取付部材１８の段部２０に下壁部材１６の下面が当接保持される。取付部材１８には、底壁に流体通過孔２１と周壁に３つの流体通過窓２２が開けられている。
【００１０】
本実施例での作動は下記の通りである。始動時、弁室４内は低温であり、第１膨脹媒体１４と第２膨張媒体１２は収縮し、入口側の流体圧力によって弁部材１７と上下ダイヤフラム部材１３，１５が上方に変位し、弁部材１７が弁座部材７から離座して導出路６を開口している。これによって入口２から流入する低温の復水や空気を導出路６から出口３へ排出する。低温流体の排出によって入口２から流入する流体温度が高くなってくると、先ず第１膨脹媒体１４が膨脹して弁部材１７と上下ダイヤフラム部材１３，１５が入口側の流体圧力に抗して下方に変位し、弁部材１７が弁座部材７に近づく。更に入口２から流入する流体温度が高くなってくると、第２膨脹媒体１２が膨脹して弁部材１７と上下ダイヤフラム部材１３，１５が入口側の流体圧力に抗して下方に変位し、弁部材１７が弁座部材７に着座して導出路６を閉止する。これによって蒸気の漏出を防止する。放熱によって弁室４内の温度が低くなると、先ず第２膨脹媒体１２が収縮して入口側の流体圧力によって弁部材１５と上下ダイヤフラム部材１３，１５が上方に変位し、弁部材１７が弁座部材７から離座する。更に弁室４内の温度が低くなると、第１膨脹媒体１４が収縮して入口側の流体圧力によって弁部材１７と上下ダイヤフラム部材１３，１５が上方に変位し、弁部材１７が弁座部材７を全開する。
【００１１】
このように、閉弁に際しては第１膨張媒体１４、第２膨張媒体１２の順に膨脹して上下ダイヤフラム部材１３，１５を弁座部材７側に段階的に徐々に変位せしめて弁部材１７が導出路６を閉弁し、開弁に際しては第２膨張媒体１２、第１膨張媒体１４の順に収縮して上下ダイヤフラム部材１３，１５を弁座部材７から離れる方向に段階的に徐々に変位せしめて弁部材１７が導出路６を開弁するので、開閉動作は段階的になり急激に行なわれることがない。また、下ダイヤフラム部材１５が破損すると水から成る第２膨張媒体１２が温度制御機素８から漏出し、アルコールは温度制御機素８から漏出することがない。
【図面の簡単な説明】
【００１２】
【図１】本発明の実施例の熱応動式スチームトラップの断面図。
【符号の説明】
【００１３】
１  本体
２  入口
３  出口
４  弁室
５  蓋部材
６  導出路
７  弁座部材
８  温度制御機素
１０  上壁部材
１２  第２膨張媒体
１３  上ダイヤフラム部材
１４  第１膨張媒体
１５  下ダイヤフラム部材
１６  下壁部材
１７  弁部材
１８  取付部材
【図１】
2005061521.tif 000003